(57)【要約】【課題】インナーレールからのスクリーンの外れを確実に防止し得るロールブラインドのスクリーン案内装置を提供する。【解決手段】スクリーン３の両側にガイドレール４を配設し、該ガイドレール４内に配設されるインナーレール６でスクリーン３の両側縁部を昇降可能に支持したロールブラインドにおいて、インナーレール６の上端に、スクリーン３の側縁部を該インナーレール６内に案内する案内部材１２を取着し、案内部材１２にはスクリーン３の支持強度を補強する補強部１３を備えた。【選択図】        図１
2004211299.tif 000002
【特許請求の範囲】
【請求項１】
スクリーンの両側にガイドレールを配設し、該ガイドレール内に配設されるインナーレールでスクリーンの両側縁部を昇降可能に支持したロールブラインドにおいて、
前記インナーレールの上端に、前記スクリーンの側縁部を該インナーレール内に案内する案内部材を取着し、前記案内部材には前記スクリーンの支持強度を補強する補強部を備えたことを特徴とするロールブラインドのスクリーン案内装置。
【請求項２】
前記補強部は、前記インナーレールによるスクリーン支持強度より大きなスクリーン支持強度を備えたことを特徴とする請求項１記載のロールブラインドのスクリーン案内装置。
【請求項３】
前記スクリーンの両側縁部にはファスナーを縫着し、前記インナーレールには前記ファスナーを移動可能に支持する筒状部と開口溝を設け、前記案内部材には前記ファスナーを移動可能に支持する筒状部と開口溝を設け、前記案内部材の筒状部の肉厚を、前記インナーレールの筒状部の肉厚より大きくして、前記補強部を構成したことを特徴とする請求項１又は２記載のロールブラインドのスクリーン案内装置。
【請求項４】
前記インナーレールには、該インナーレールを前記ガイドレールに対しスクリーンの幅方向に弾性的に支持するスプリング部材を取着し、前記案内部材には該案内部材の移動範囲を前記ガイドレール内に規制する規制手段を設けたことを特徴とする請求項１乃至３のいずれかに記載のロールブラインドのスクリーン案内装置。
【請求項５】
前記案内部材の筒状部には、前記ファスナーを前記筒状部及び開口溝に案内する斜面を設けたことを特徴とする請求項３記載のロールブラインドのスクリーン案内装置。
【発明の詳細な説明】
【０００１】
【発明の属する技術分野】
この発明は、スクリーンの両側部をガイドレールで案内するロールブラインドのスクリーン案内装置に関するものである。
【０００２】
【従来の技術】
ロールブラインドの一種類として、巻取軸から垂下されるスクリーンの両側部をガイドレールで案内しながら昇降するようにしたものがある。
【０００３】
このようなロールブラインドでは、ガイドレール内にインナーレールが設けられ、そのインナーレールでスクリーンの側縁部が上下方向に移動可能に支持される。また、ガイドレールに対しインナーレールがスクリーンの幅方向に若干移動可能に支持されて、スクリーンがガイドレール間で緩やかに支持されている。
【０００４】
このように構成されたロールブラインドでは、スクリーンの両側縁部にファスナーが縫着され、そのファスナーがインナーレール内に挿通されることにより、スクリーンがインナーレールに沿って支持される。
【０００５】
特許文献１では、インナーレールの上端部をテーパ状に開口して、ファスナーをインナーレール内に挿入し易くした構成が開示されている。
【０００６】
【特許文献１】
実公平７−１４６２６
【０００７】
【発明が解決しようとする課題】
上記のようなインナーレールでは、テーパ状に開口した上端部の強度が低下する。すると、スクリーンの中央部が押されて、ファスナー部分がスクリーンの中央部に向かって引かれると、インナーレールの上端部においてファスナー部分がインナーレールから外れ、これをきっかけとしてファスナー部分が下方に向かって順次外れてしまうことがある。
【０００８】
この発明の目的は、インナーレールからのスクリーンの外れを確実に防止し得るロールブラインドのスクリーン案内装置を提供することにある。
【０００９】
【課題を解決するための手段】
請求項１では、スクリーンの両側にガイドレールを配設し、該ガイドレール内に配設されるインナーレールでスクリーンの両側縁部を昇降可能に支持したロールブラインドにおいて、前記インナーレールの上端に、前記スクリーンの側縁部を該インナーレール内に案内する案内部材を取着し、前記案内部材には前記スクリーンの支持強度を補強する補強部を備えた。
【００１０】
請求項２では、前記補強部は、前記インナーレールによるスクリーン支持強度より大きなスクリーン支持強度を備えた。
請求項３では、前記スクリーンの両側縁部にはファスナーを縫着し、前記インナーレールには前記ファスナーを移動可能に支持する筒状部と開口溝を設け、前記案内部材には前記ファスナーを移動可能に支持する筒状部と開口溝を設け、前記案内部材の筒状部の肉厚を、前記インナーレールの筒状部の肉厚より大きくして、前記補強部を構成した。
【００１１】
請求項４では、前記インナーレールには、該インナーレールを前記ガイドレールに対しスクリーンの幅方向に弾性的に支持するスプリング部材を取着し、前記案内部材には該案内部材の移動範囲を前記ガイドレール内に規制する規制手段を設けた。
【００１２】
請求項５では、前記案内部材の筒状部には、前記ファスナーを前記筒状部及び開口部に案内する斜面を設けた。
【００１３】
【発明の実施の形態】
以下、この発明を具体化した一実施の形態を図面に従って説明する。図４に示すロールブラインドは、巻取軸１の両端が支持ブラケット２に回転可能に支持され、その巻取軸１からスクリーン３が昇降可能に吊下支持される。
【００１４】
前記スクリーン３の両側縁部は、押し出し形材で形成されたガイドレール４に上下動可能に支持される。従って、巻取軸１の回転にともなって、スクリーン３がガイドレール４に沿って昇降される。
【００１５】
図１に示すように、前記スクリーン３の両側縁にはファスナー５が縫着されている。図２に示すように、前記ガイドレール４内にはその全長に亘って合成樹脂で成形されたインナーレール６が配設される。
【００１６】
前記インナーレール６の先端側には筒状部７が形成され、その筒状部７の先端側には開口溝８が形成されている。そして、スクリーン３はその両側縁のファスナー５がインナーレール６の上端から筒状部７及び開口溝８内に挿通される。前記ファスナー５は、前記開口溝８からスクリーン３の幅方向には抜き出し不能である。
【００１７】
従って、スクリーン３の両側縁がインナーレール６に上下方向にのみ移動可能に支持される。前記インナーレール６の基端側には、断面楔型の突条９が形成される。
【００１８】
前記インナーレール６の突条９には、同インナーレール６の複数箇所において、スプリング部材１０の基端部が嵌着されている。前記スプリング部材１０の先端部は、インナーレール６の両側を斜め上方に向かって延接され、ガイドレール４の内側面に設けられた係止溝１１に係合している。
【００１９】
従って、スクリーン３の中央部が押されると、図１に示す状態からインナーレール６がスクリーン３の中央部に向かって引かれ、図３に示すように、スプリング部材１０は平面方向から見て拡開された状態となる。この状態では、スプリング部材１０により、スクリーン３を引き戻そうとする付勢力が作用する。
【００２０】
前記インナーレール６の上端には、ファスナー案内部材１２が取着される。このファスナー案内部材１２には、図１に示すように、前記インナーレール６と同様な筒状部１３と、開口溝１４が形成され、その筒状部１３及び開口溝１４を介してファスナー５をインナーレール６内に案内するようになっている。
【００２１】
前記筒状部１３の肉厚は、前記インナーレール６の筒状部７の肉厚に比して厚く形成されて、十分な機械的強度を確保した補強部が構成されている。また、前記筒状部１３の周囲には、ファスナー５を同筒状部１３及び開口溝１４内に案内するすり鉢状の斜面１５が形成されている。
【００２２】
前記ファスナー案内部材１２の筒状部１３の両側には鍔部１６が規制手段として形成されている。前記鍔部１６は、ファスナー案内部材１２がスクリーン３に引かれて移動するとき、図３に示すように、前記係止溝１１を形成するリブ１７に当接する位置まで突出されている。
【００２３】
上記のように構成されたスクリーン案内装置では、スクリーンの昇降操作時に、スクリーン３の両側縁がインナーレール６を介してガイドレール４に案内される。従って、スクリーン３は両側縁がガイドレール４に支持された状態で昇降される。
【００２４】
スクリーン３の中央部が押されると、インナーレール６がスクリーン３の中央側に向かって引かれ、図３に示すように、ファスナー案内部材１２の鍔部１６がリブ１７に当接して、同方向へのそれ以上の移動が阻止される。
【００２５】
また、スクリーン３の中央部が押されなくなると、スプリング部材１０の付勢力により、図１に示す状態に復帰する。
上記のように構成されたロールブラインドのスクリーン案内装置では、次に示す作用効果を得ることができる。
（１）インナーレール６の上端に取着したファスナー案内部材１２により、インナーレール６にファスナー５を容易に挿通することができる。
（２）スクリーン３の両側縁部を、インナーレール６を介してガイドレール４に昇降可能に支持することができる。
（３）ファスナー案内部材１２及びインナーレール６がスクリーン３の中央部に向かって引かれるとき、ファスナー案内部材１２の筒状部１３の強度がインナーレール６の筒状部７に比して十分に確保されているので、ファスナー５部分がファスナー案内部材１２から外れることはない。従って、スクリーン３がインナーレール６の上端部から順次外れることはない。
（４）ファスナー案内部材１２がスクリーン３の中央部に向かって引かれるとき、鍔部１６がリブ１７に当接してそれ以上の移動を阻止するので、ファスナー案内部材１２がガイドレール４から露出されることはない。
（５）ファスナー案内部材１２の筒状部１３に設けた斜面により、スクリーン３のファスナー５部分を筒状部１３及び開口溝１４内に円滑に案内することができる。
【００２６】
上記実施の形態は、次に示すように変更することもできる。
・前記鍔部１６及びリブ１７の形状は、同様の作用を得るものであれば、その形状は任意に変更してもよい。
【００２７】
【発明の効果】
以上詳述したように、この発明はインナーレールからのスクリーンの外れを確実に防止し得るロールブラインドのスクリーン案内装置を提供することができる。
【図面の簡単な説明】
【図１】一実施の形態のスクリーン案内装置を示す平面図である。
【図２】スクリーン案内装置を示す分解斜視図である。
【図３】スクリーン案内装置の動作を示す平面図である。
【図４】ロールブラインドを示す側面図である。
【符号の説明】
３          スクリーン
４          ガイドレール
６          インナーレール
１２        案内部材（ファスナー案内部材）
１３        補強部（筒状部）
【図１】
2004211299.tif 000003
【図２】
2004211299.tif 000004
【図３】
2004211299.tif 000005
【図４】
2004211299.tif 000006